(57)【特許請求の範囲】
【請求項１】
ミッションケースに基端部が連結された支持板と、ミッションケース内の駆動機構に内端部がそれぞれ伝動構成されて相互に逆方向に往復駆動され、外端部が上下に所定の相互間隔を開けてミッションケース外に臨む上部駆動部材および下部駆動部材と、少なくとも基端部が上記支持板上に接合されるガイド板上にバリカン式刈刃体の上部刈刃体および下部刈刃体を長手方向に沿って往復摺動自在に予め組み付けた刈刃体カセットとを備え、
上記支持板，上部駆動部材の外端部，下部駆動部材の外端部には、バネ付勢されることで支持板の上面側，上部駆動部材の外端部下面側，下部駆動部材の外端部上面側に突出する没入可能なスプリング式連結ピンをそれぞれ設けると共に、
上記刈刃体カセットにおける上記ガイド板の基端部，上部刈刃体の基端部，下部刈刃体の基端部には、支持板の上面側，上部駆動部材の外端部下面側，下部駆動部材の外端部上面側に突出する上記各スプリング式連結ピンに対応した連結孔をそれぞれ設け、
刈刃体カセットにおけるガイド板の基端部を支持板上に接合して上部刈刃体および下部刈刃体の基端部を上部駆動部材および下部駆動部材の外端部間に挿入することで、上部刈刃体の基端部を上部駆動部材の外端部に、下部刈刃体の基端部を下部駆動部材の外端部に、ガイド板の基端部を支持板に、それぞれスプリング式連結ピンを介して着脱自在に連結したことを特徴とするバリカン式刈刃体の着脱構造。
【請求項２】
上記刈刃体カセットにおけるガイド板の基端，上部刈刃体の基端，下部刈刃体の基端には、これらに設けた各連結孔に対応する各スプリング式連結ピンと斜面係合することで各スプリング式連結ピンを一時没入させるガイド斜面をそれぞれ設けたことを特徴とする請求項１記載のバリカン式刈刃体の着脱構造。
【発明の詳細な説明】
【０００１】
【産業上の利用分野】
本発明は、草刈機や剪枝機などの主要部を構成するバリカン式刈刃体に関し、詳しくは、その装着作業および取外し作業が簡単かつ迅速に行えるように改良されたバリカン式刈刃体の着脱構造に関する。
【０００２】
【従来の技術】
例えば草刈機に装備されるバリカン式刈刃体として、図５に示すものが従来一般に知られている。ここで図５中、符号ａ，ｂは、草刈機のミッションケースｃに基端部がボルト・ナットｄにより固定された上下一対の細長いガイド板を示し、これらはその長手方向に沿って配置された複数組のボルト・ナットｅにより相互に連結され、各ボルトに嵌合したスペーサリング（図示省略）により所定間隔を開けて対向している。そしてこの上下一対のガイド板ａ，ｂの間には、上記各スペーサリングに嵌合してこれに案内される各長孔（図示省略）を有する上下一対のバリカン式刈刃体、即ち、上部刈刃体ｆおよび下部刈刃体ｇが長手方向に沿って摺動自在に挟持されている。
【０００３】
ここで、前記上部刈刃体ｆおよび下部刈刃体ｇの基端部は、ミッションケースｃ内に臨んで図示省略したクランク機構にそれぞれ伝動構成されており、このクランク機構が図示省略したクラッチ装置を介してエンジンにより回転駆動されることで、上部刈刃体ｆおよび下部刈刃体ｇはその長手方向に沿って相互に逆方向に往復駆動され、こうして草刈作業を行うようになっている。
【０００４】
このようなバリカン式刈刃体を使用した草刈作業においては、上部刈刃体ｆおよび下部刈刃体ｇの各刈刃の研磨状態は切れ味に大きく影響し、鋭利な研磨状態では切れ味が良く作業能率も上がるが、草刈作業の進行に伴い各刈刃が摩滅すると、切れ味が悪化して作業能率が極端に低下する。そこで、切れ味が悪化した場合や一定時間草刈作業をした後には、摩滅した上部刈刃体ｆおよび下部刈刃体ｇの各刈刃を再研磨する必要がある。
【０００５】
ここで、上部刈刃体ｆおよび下部刈刃体ｇの各刈刃の再研磨作業は、これらをミッションケースｃに装着したままで行うことも可能ではあるが、実際には各刈刃が上下に重なって研磨作業が極めて困難であり、時間が掛かるばかりでなく、充分満足な研磨状態も売られないのが実状である。このため、一般には、摩滅した上部刈刃体ｆおよび下部刈刃体ｇをミッションケースｃおよび上下一対のガイド板ａ，ｂから取り外し、単独でその各刈刃を再研磨している。
【０００６】
【発明が解決しようとする課題】
ところで、上部刈刃体ｆおよび下部刈刃体ｇの各刈刃の再研磨作業に際し、これらを取り外すには、一対のガイド板ａ，ｂを上下に連結している複数組のボルト・ナットｅをそれぞれ取り外すと共に、ガイド板ａ，ｂの基端部をミッションケースｃに固定しているボルト・ナットｄを取り外し、その上で更にミッションケースｃを分解して上部刈刃体ｆおよび下部刈刃体ｇの基端部をミッションケースｃ内のクランク機構から取り外す必要があり、その取外し作業が極めて面倒であって草刈作業の現場で簡単に取り外すことができないという問題があった。同様に、再研磨作業の済んだ上部刈刃体ｆおよび下部刈刃体ｇをミッションケースｃおよび一対のガイド板ａ，ｂ間に装着するにも、前述と反対手順の作業が必要であり、装着作業が極めて面倒で草刈現場で簡単に組み付けることができないという問題があった。
【０００７】
従って、従来例においては、草刈作業中にその切れ味が悪化してもバリカン式刈刃体を簡単に交換することができず、作業能率が極端に低下したまま作業を続行するか、作業を中断するか、あるいは別の草刈機を用いて作業を継続しなければならないなどの問題が生じていた。
【０００８】
そこで本発明は、バリカン式刈刃体の装着作業および取外し作業をミッションケースの分解作業などを伴うことなくより簡単かつ迅速に行うことができ、作業現場でバリカン式刈刃体を交換することも可能としたバリカン式刈刃体の着脱構造を提供することを目的とする。
【０００９】
【課題を解決するための手段】
この目的を達成する手段として、本発明によるバリカン式刈刃体の着脱構造は、ミッションケースに基端部が連結された支持板と、ミッションケース内の駆動部材に内端部がそれぞれ伝動構成されて相互に逆方向に往復駆動され、外端部が上下に所定の相互間隔を開けてミッションケース外に臨む上部駆動部材および下部駆動部材と、少なくとも基端部が上記支持板上に接合されるガイド板上にバリカン式刈刃体の上部刈刃体および下部刈刃体を長手方向に沿って往復摺動自在に予め組み付けた刈刃体カセットとを備え、上記支持板，上部駆動部材の外端部，下部駆動部材の外端部には、バネ付勢されることで支持板の上面側，上部駆動部材の外端部下面側，下部駆動部材の外端部上面側に突出する没入可能なスプリング式連結ピンをそれぞれ設けると共に、上記刈刃体カセットにおける上記ガイド板の基端部，上部刈刃体の基端部，下部刈刃体の基端部には、支持板の上面側，上部駆動部材の外端部下面側，下部駆動部材の外端部上面側に突出する上記各スプリング式連結ピンに対応した連結孔をそれぞれ設け、刈刃体カセットにおけるガイド板の基端部を支持板上に接合して上部刈刃体および下部刈刃体の基端部を上部駆動部材および下部駆動部材の外端部間に挿入することで、上部刈刃体の基端部を上部駆動部材の外端部に、下部刈刃体の基端部を下部駆動部材の外端部に、ガイド板の基端部を支持板に、それぞれスプリング式連結ピンを介して着脱自在に連結したことを特徴とする。
【００１０】
ここで、前記刈刃体カセットにおけるガイド板の基端，上部刈刃体の基端，下部刈刃体の基端には、これらに設けた各連結孔に対応する各スプリング式連結ピンと斜面係合することで各スプリング式連結ピンを一時没入させるガイド斜面をそれぞれ設けたことも特徴とする。
【００１１】
【作用】
前述の手段を採用した本発明によるバリカン式刈刃体の着脱構造では、各スプリング式連結ピンを没入状態とした上で、刈刃体カセット全体としてガイド板の基端部を支持板上に接合し、バリカン式刈刃体の上部刈刃体および下部刈刃体の基端部を上部駆動部材および下部駆動部材の外端部間に挿入する。そうすることで各スプリング式連結ピンがバネ付勢により対応する各連結孔に嵌入し、上部刈刃体の基端部が上部駆動部材の外端部に、下部刈刃体の基端部が下部駆動部材の外端部に、ガイド板の基端部が支持板にそれぞれスプリング式連結ピンを介して連結されるのであり、こうしてバリカン式刈刃体の装着作業が完了する。
【００１２】
また、バリカン式刈刃体の取り外し作業は、前述した装着作業と反対の手順で作業すればよく、各スプリング式連結ピンを各連結孔から引き抜き、この状態で刈刃体カセット全体としてガイド板と共に上部刈刃体および下部刈刃体の基端部を上部駆動部材および下部駆動部材の外端部間から引き抜くのであり、こうしてバリカン式刈刃体の取り外し作業が完了する。
【００１３】
ここで、前記刈刃体カセットにおけるガイド板の基端，上部刈刃体の基端，下部刈刃体の基端にガイド斜面をそれぞれ設けたバリカン式刈刃体の着脱構造では、刈刃体カセット全体としてガイド板の基端部を支持板上に接合し、バリカン式刈刃体の上部刈刃体および下部刈刃体の基端を上部駆動部材および下部駆動部材の外端部間に挿入すると、各スプリング式連結ピンはガイド斜面と斜面係合して一時没入した後、バネ付勢により対応する各連結孔に嵌入するのであり、こうしてバリカン式刈刃体の装着作業がワンタッチで行われる。
【００１４】
【実施例】
以下、本発明の実施例を添付の図面を参照して具体的に説明する。
例えば草刈機のバリカン式刈刃体に適用された一実施例を分解して示す図３において、符号１，２はバリカン式刈刃体を構成する上下一対の上部刈刃体および下部刈刃体、符号３はガイド板、符号４はミッションケース、符号５，６は上下一対の上部駆動部材および下部駆動部材、符号７は支持板をそれぞれ示している。
【００１５】
前記上部刈刃体１および下部刈刃体２は、ガイド板３上に上下に重ねて接合される所定長さのものであり、上部刈刃体１の左右両側には多数の三角刈刃１ａが所定ピッチで形成され、同様に下部刈刃体２の左右両側には多数の台形刈刃２ａが所定ピッチで形成されている。そしてこれらの上部刈刃体１および下部刈刃体２には、複数（本実施例では６個）の長孔状のガイド孔１ｂ，１ｂ，…、２ｂ，２ｂ，…が長手方向に沿ってそれぞれ形成されている。
【００１６】
ガイド板３は、前記上部刈刃体１および下部刈刃体２より幅狭の細長い平板状のもので、前記ガイド孔１ｂ，１ｂ，…、２ｂ，２ｂ，…に挿通される６個のガイド兼用ネジ３ａが上面側に突出して植設されている。そして図４に示すように、ガイド板３上に下部刈刃体２，上部刈刃体１が順次接合して重ねられ、ガイド孔２ｂ，２ｂ，…、１ｂ，１ｂ，…に順次挿通された各ガイド兼用ネジ３ａの先端にツバ付ナット３ｂがそれぞれ螺合されることで、上部刈刃体１および下部刈刃体２はガイド板３の長手方向に沿って往復摺動自在に予め組み付けられ、こうして刈刃体カセット８が構成される。
【００１７】
一方、前記ミッションケース４は、図示省略した草刈機のエンジンによりクラッチ装置を介して回転駆動されるクランク機構を内蔵したもので、このクランク機構には、前記上部刈刃体１および下部刈刃体２を駆動するための上部駆動部材５および下部駆動部材６の内端部がそれぞれ伝動構成されて相互に逆方向に往復駆動されるようになっている。そしてミッションケース４の開口部から外方に延出された上記上部駆動部材５および下部駆動部材６の外端部は、図１，図２に示すように上下に所定の相互間隔を開けるように屈曲されており、その外端部間に前記上部刈刃体１および下部刈刃体２の基端部を挿入できるようになっている。
【００１８】
また前記支持板７は、前記ガイド板３と略等幅を有してその基端部を連結支持するもので、この支持板７の基端部はミッションケース４の開口を通してその内部に臨んでいる。そしてこの支持板７の基端部には、図１，図２に示すように前後２本の止めネジ７ａ，７ａが下方に突出して植設されており、この止めネジ７ａ，７ａがミッションケース４を貫通してその下面に突出し、その突出端部にナット７ｂ，７ｂが螺合されることで、支持板７の基端部が予めミッションケース４に連結固定されている。
【００１９】
ここで図１に示すように、支持板７には前後に所定間隔を開けて２つのスプリング式連結ピン９，１０が付設されている。このスプリング式連結ピン９，１０は、支持板７の下面にツバ９ａ，１０ａが当接して支持板７を上下に摺動自在に貫通する上端が半球形のピン本体９ｂ，１０ｂと、支持板７の下面に一端部が溶接等により固定され、他端部がピン本体９ｂ，１０ｂの下端部を上下に摺動自在に嵌合支持するバネ受け片９ｃ，１０ｃと、ピン本体９ｂ，１０ｂの下部に巻装されて上記ツバ９ａ，１０ａとバネ受け片９ｃ，１０ｃの他端部との間に介設されるコイルスプリンブ９ｄ，１０ｄとで構成されるもので、ピン本体９ｂ，１０ｂの半球形の上端は、通常、ガイド板３の板厚より若干短い寸法だけ支持板７の上面から突出し、コイルスプリンブ９ｄ，１０ｄに抗して支持板７内に没入可能となっている。
【００２０】
また、上部駆動部材５の外端部および下部駆動部材６の外端部にも、前記スプリング式連結ピン９，１０と略同様のスプリング式連結ピン１１，１２がそれぞれ付設されている。ここで、上部駆動部材５の外端部に付設されたスプリング式連結ピン１１は、ツバ１１ａが上部駆動部材５の上面に当接することでピン本体１１ｂの半球形の下端が上部刈刃体１の板厚より若干短い寸法だけ上部駆動部材５の下面から突出し、バネ受け片１１ｃに支持されたコイルスプリンブ１１ｄに抗して半球形の下端が上部駆動部材５内に没入可能となっている。同様に、下部駆動部材６の外端部に付設されたスプリング式連結ピン１２は、ツバ１２ａが下部駆動部材６の下面に当接することでピン本体１２ｂの半球形の上端が下部刈刃体２の板厚より若干短い寸法だけ下部駆動部材６の上面から突出し、バネ受け片１２ｃに支持されたコイルスプリンブ１２ｄに抗して半球形の上端が下部駆動部材６内に没入可能となっている。
【００２１】
一方、前記刈刃体カセット８のガイド板３の基端部には、支持板７に付設された前記スプリング式連結ピン９，１０のピン本体９ｂ，１０ｂの上端が嵌入する連結孔３ｃ，３ｃが形成されると共に、ガイド板３の基端には上記ピン本体９ｂ，１０ｂの上端を斜面係合により支持板７内に没入させる逆勾配のガイド斜面３ｄが形成されている。また、刈刃体カセット８の上部刈刃体１の基端部には、上部駆動部材５に付設された前記スプリング式連結ピン１１のピン本体１１ｂの下端が嵌入する連結孔１ｃが形成されると共に、上部刈刃体１の基端には上記ピン本体１１ｂの下端を斜面係合により上部駆動部材５内に没入させる順勾配のガイド斜面１ｄが形成され、同様に、下部刈刃体２の基端部には、下部駆動部材６に付設された前記スプリング式連結ピン１２のピン本体１２ｂの上端が嵌入する連結孔２ｃが形成されると共に、下部刈刃体２の基端には上記ピン本体１２ｂの上端を斜面係合により下部駆動部材６内に没入させる逆勾配のガイド斜面２ｄが形成されている。
【００２２】
なお、前記支持板７の基端部寄りの箇所には、下部駆動部材６に付設されたスプリング式連結ピン１２を所定量前後に移動可能に収容する抜き窓７ｃが形成されている。
【００２３】
次に、このように構成された本実施例につき、その作用を説明する。
本実施例では、バリカン式刈刃体の装着作業および取り外し作業は、ガイド板３上に上部刈刃体１および下部刈刃体２を長手方向に沿って往復摺動自在に予め組み付けた刈刃体カセット８全体として行う。例えばその装着作業は、刈刃体カセット８のガイド板３の基端部を支持板７上に沿わせ、上部刈刃体１および下部刈刃体２の基端を上部駆動部材５および下部駆動部材６の外端部間に押し込んで挿入する。この挿入作業は、上部刈刃体１および下部刈刃体２の基端にガイド斜面１ｄおよびガイド斜面２ｄが形成されることで、円滑に行われる。
【００２４】
すると、上部駆動部材５に付設されたスプリング式連結ピン１１のピン本体１１ｂの下端がガイド斜面１ｄとの斜面係合により上部駆動部材５内に一時没入し、また下部駆動部材６に付設されたスプリング式連結ピン１２のピン本体１２ｂの上端がガイド斜面２ｄとの斜面係合により下部駆動部材６内に一時没入する。そして上記ピン本体１１ｂの下端が上部刈刃体１の上面を滑動した後その連結孔１ｃに嵌入し、またピン本体１２ｂの上端が下部刈刃体２の下面を滑動した後その連結孔２ｃに嵌入するのであり、このときガイド板３の基端部下面が支持板７の上面に接合して支持板７に付設されたスプリング式連結ピン９，１０の各ピン本体９ｂ，１０ｂの上端がガイド板３の基端部の連結孔３ｃ，３ｃに嵌入することで、上部刈刃体１の基端部が上部駆動部材５の外端部に、下部刈刃体２の基端部が下部駆動部材６の外端部に、ガイド板３の基端部が支持板７にそれぞれピン結合して連結されるのであり、こうしてバリカン式刈刃体の装着作業がワンタッチで完了する。
【００２５】
そこで、図示省略した草刈機のエンジンを始動してクラッチ装置を接続操作すると、ミッションケース４内のクランク機構により上部駆動部材５および下部駆動部材６が相互に逆方向に往復駆動され、これらに接続された上部刈刃体１および下部刈刃体２が、ガイド板３に沿って長手方向に相互に逆方向に往復駆動されることで、草刈作業が行われる。
【００２６】
一方、このような草刈作業により上部刈刃体１の各三角刈刃１ａまたは下部刈刃体２の各台形刈刃２ａが摩滅して切れ味が悪化し、上部刈刃体１および下部刈刃体２を交換する場合は、前述した装着作業と略反対の手順で刈刃体カセット８の取り外し作業を行う。即ち、前記各ピン本体９ｂ，１０ｂ，１１ｂ，１２ｂをコイルスプリンブ９ｄ，１０ｄ，１１ｄ，１２ｄに抗して各連結孔３ｃ，３ｃ，１ｃ，２ｃから引き抜いた状態とし、この状態で刈刃体カセット８全体としてガイド板３と共に上部刈刃体１および下部刈刃体２の基端部を上部駆動部材５および下部駆動部材６の外端部間から引き抜くのであり、こうしてバリカン式刈刃体の取り外し作業が完了する。
【００２７】
なお、前記各ピン本体９ｂ，１０ｂ，１１ｂ，１２ｂのバネ受け片９ｃ，１０ｃ，１１ｃ，１２ｃから突出する端部には、コイルスプリンブ９ｄ，１０ｄ，１１ｄ，１２ｄに抗してピン本体９ｂ，１０ｂ，１１ｂ，１２ｂを引き戻すためのリング部材などの適宜の部材を装着しておくのが好ましく、そうすることでバリカン式刈刃体の取り外し作業をより確実に行うことができる。
【００２８】
また、本実施例では、上部刈刃体１が多数の三角刈刃１ａを有し、下部刈刃体２が多数の台形刈刃２ａを有する構造としたが、反対に上部刈刃体１が多数の台形刈刃を有し、下部刈刃体２が多数の三角刈刃を有する構造としてもよい。また上部刈刃体１および下部刈刃体２が、いずれも多数の台形刈刃を有する構造とし、あるいは反対にいずれも多数の三角刈刃を有する構造としてもよい。特に、刈刃自体の形状や数は特に限定されるものではなく、任意に選定できる。
【００２９】
【発明の効果】
以上説明したとおり本発明によれば、各スプリング式連結ピンを没入状態とした上で、刈刃体カセット全体としてガイド板の基端部を支持板上に接合し、バリカン式刈刃体の上部刈刃体および下部刈刃体の基端部を上部駆動部材および下部駆動部材の外端部間に挿入すると、各スプリング式連結ピンがバネ付勢により対応する各連結孔に嵌入して上部刈刃体の基端部が上部駆動部材の外端部に、下部刈刃体の基端部が下部駆動部材の外端部に、ガイド板の基端部が支持板にそれぞれスプリング式連結ピンを介して連結され、こうして刈刃体カセット全体としてバリカン式刈刃体の装着作業が完了するのであり、これと反対の手順で刈刃体カセット全体としてバリカン式刈刃体の取り外し作業が完了する。
【００３０】
従って、ミッションケースの分解作業などを伴うことなく簡単かつ迅速にバリカン式刈刃体の装着作業および取外し作業を行うことができ、作業現場で素早くバリカン式刈刃体を交換することが可能となり、作業能率を大幅に向上することができる。
【００３１】
ここで、前記刈刃体カセットにおけるガイド板の基端，上部刈刃体の基端，下部刈刃体の基端にガイド斜面をそれぞれ設けたバリカン式刈刃体の着脱構造では、ガイド板の基端部を支持板上に接合してバリカン式刈刃体の上部刈刃体および下部刈刃体の基端部を上部駆動部材および下部駆動部材の外端部間に挿入すると、各スプリング式連結ピンはガイド斜面と斜面係合して一時没入した後、バネ付勢により対応する各連結孔に嵌入するのであり、こうしてバリカン式刈刃体の装着作業を刈刃体カセット全体としてワンタッチでより簡単かつ迅速に行うことができる。
【図面の簡単な説明】
【図１】本発明の一実施例の要部構造を示す断面図である。
【図２】一実施例の要部構造を示す分解斜視図である。
【図３】一実施例の全体構造を示す分解平面図である。
【図４】一実施例における刈刃体カセットの部分断面図である。
【図５】従来例の全体構造を示す斜視図である。
【符号の説明】
１  上部刈刃体
１ａ  三角刈刃
１ｂ  ガイド孔
１ｃ  連結孔
１ｄ  ガイド斜面
２  下部刈刃体
２ａ  台形刈刃
２ｂ  ガイド孔
２ｃ  連結孔
２ｄ  ガイド斜面
３  ガイド板
３ａ  ガイド兼用ネジ
３ｂ  ツバ付ナット
３ｃ  連結孔
３ｄ  ガイド斜面
４  ミッションケース
５  上部駆動部材
６  下部駆動部材
７  支持板
７ａ  止めネジ
７ｂ  ナット
７ｃ  抜き窓
８  刈刃体カセット
９，１０，１１，１２  スプリング式連結ピン
９ａ，１０ａ，１１ａ，１２ａ  ツバ
９ｂ，１０ｂ，１１ｂ，１２ｂ  ピン本体
９ｃ，１０ｃ，１１ｃ，１２ｃ  バネ受け片
９ｄ，１０ｄ，１１ｄ，１２ｄ  コイルスプリンブ
【図１】
0003694062.tif 000002
【図２】
0003694062.tif 000003
【図３】
0003694062.tif 000004
【図４】
0003694062.tif 000005
【図５】
0003694062.tif 000006